(57)【特許請求の範囲】
【請求項１】
中温流体にこの中温流体よりも温度が低い低温流体を混合させる第１の混合弁、および、中温流体にこの中温流体よりも温度が高い高温流体を混合させる第２の混合弁が一体に設けられたモジュール方式集合弁であって、
中温流体が流入される第１の流入口、および、流入された流体を流出させる出口となる第１の流出口の両方を有する第１の部屋と、
この第１の部屋に隣接され、かつ、低温流体が流入される第２の流入口、および、流入された流体を流出させる出口となる第２の流出口の両方を有する第２の部屋と、
前記第１の部屋に前記第２の部屋とは反対側から隣接され、かつ、高温流体が流入される第３の流入口、および、流入された流体を流出させる出口となる第３の流出口の両方を有する第３の部屋と、
を備え、
前記第１の混合弁は、第２の部屋と第１の部屋との間で開閉されることで、この第１の部屋内の流体に低温流体を流入させて混合させることと、この混合を停止させることとを実現させ、
前記第２の混合弁は、第３の部屋と第１の部屋との間で開閉されることで、この第１の部屋内の流体に高温流体を流入させて混合させることと、この混合を停止させることとを実現させ、
前記第２の流入口および前記第２の流出口は、一方が前記第１の流入口と同じ方向を向き、かつ、他方が前記第１の流出口と同じ方向を向くように配設され、
前記第３の流入口および前記第３の流出口は、一方が前記第１の流入口と同じ方向を向き、かつ、他方が前記第１の流出口と同じ方向を向くように配設される、
モジュール方式集合弁。
【請求項２】
請求項１に記載されたモジュール方式集合弁であって、
前記第１の流出口から流出される流体の温度を測定する温度センサーと、
この温度センサーが測定した流体の温度に基づいて前記第１の混合弁の開度および前記第２の混合弁の開度を制御する開度制御装置と、
を備えている、
モジュール方式集合弁。
【請求項３】
請求項１または請求項２に記載されたモジュール方式集合弁であって、
前記第２の混合弁は、
前記第３の部屋と前記第１の部屋とを互いに連通させる弁孔と、
この弁孔に対して進退されることで、前記第２の混合弁を開閉させる弁体と、
この弁体に一体に設けられて、第１の部屋の内壁面にすべり移動可能に嵌め合わされるスリーブと、
このスリーブおよび弁体をねじ送りによって一緒に進退させることで、第２の混合弁の開度を調整する送りねじ機構と、
を備えている、
モジュール方式集合弁。
【請求項４】
請求項１から請求項３のいずれかに記載されたモジュール方式集合弁であって、
前記第１の流入口から流入されて前記第１の流出口から流出される流体の流れに当たることで、この流れの向きおよび流速を変化させるバッフルが、前記第１の部屋内に配設されている、
モジュール方式集合弁。
【請求項５】
請求項１から請求項４のいずれかに記載されたモジュール方式集合弁であって、
温水熱源機およびボイラーの両方を備え、給水管からの給水を温めて吐水管から吐水させる温水器に組み込まれ、
前記温水熱源機は、供給された水を温めて温水にする能力を有し、
前記ボイラーは、供給された水を加熱して前記温水よりも温度が高い熱水にする能力を有し、
前記ボイラーには、このボイラーによって加熱されるべき水をこのボイラーに供給する水供給管と、この水供給管からの水を前記ボイラーが加熱した前記熱水を流出させる熱水管とが付設され、
前記給水管は、前記第２の流入口に接続されて、前記給水を前記低温流体として前記第２の部屋に流入させ、
前記第２の流出口には、前記温水熱源機によって温められるべき水を前記第２の部屋から送り出す送り出し管が接続され、
前記第１の流入口には、前記温水熱源機によって温められた後の前記温水を前記中温流体として前記第１の部屋に送り込む送り込み管が接続され、
前記吐水管は、前記第１の流出口に接続されて、この第１の流出口から流出された水を吐水し、
前記熱水管および前記水供給管は、それぞれ前記第３の流入口および前記第３の流出口に接続されることで、前記熱水を前記高温流体として前記第３の部屋に常時流入させることと、この第３の部屋内の水を前記ボイラーに常時供給することとを可能とし、
前記第２の混合弁は、前記第１の部屋に前記第３の部屋内の前記熱水を流入させる際に、この熱水と同量の水を前記第１の部屋から前記第３の部屋に流入させるように構成されている、
モジュール方式集合弁。
【発明の詳細な説明】
【技術分野】
【０００１】
本発明は、複数の混合弁が一体に設けられたモジュール方式集合弁に関する。
【背景技術】
【０００２】
従来、水道水などの給水とこの給水の一部をヒートポンプ式加熱装置によって温めた温水とを混合弁により混合して、所望の温度の吐水として利用できるようにする温水器が知られている。このような温水器のうち、複数個所で吐水を利用するために混合弁を複数備えた温水器に関しては、各混合弁が一体に設けられたモジュール方式集合弁を採用することで、省スペース化および配管接続の自由度の向上を実現させる技術が知られていた（例えば特許文献１を参照）。
【先行技術文献】
【特許文献】
【０００３】
【特許文献１】特開２０１４−１１４９２３号公報
【発明の概要】
【発明が解決しようとする課題】
【０００４】
ところで、温水器には、主熱源となるヒートポンプ式加熱装置とは別にボイラーを備えて、ヒートポンプ式加熱装置のみでは温水の温度を充分に上げられない場合に、この温水にボイラーが加熱した熱水を混合させて所望の温度の吐水を得るものが存在する。このような温水器の機能は、温水（中温流体）にこの温水よりも低温の給水（低温流体）を混合させる第１の混合弁と、温水にこの温水よりも高温の熱水（高温流体）を混合させる第２の混合弁とによって実現されるものである。ここで、上記特許文献１の技術的思想により上記第１の混合弁および第２の混合弁を一体のモジュール方式集合弁とすることには、上記第１の混合弁および第２の混合弁が直列に並んでモジュール方式集合弁に繋がる配管が複雑になり、この配管の施工に必要な手間が多くなるという問題がある。
【０００５】
本発明は、中温流体に低温流体を混合させる第１の混合弁と、中温流体に高温流体を混合させる第２の混合弁と、が一体に設けられたモジュール方式集合弁において、上記第１の混合弁および第２の混合弁を並列に並べるものである。そして、本発明は、上記構成により、モジュール方式集合弁に繋がる配管をシンプルにして、この配管の施工に必要な手間の増加を抑えることを可能とするものである。
【課題を解決するための手段】
【０００６】
上記課題を解決するために、本発明のモジュール方式集合弁は以下の手段をとる。
【０００７】
まず、第１の発明は、中温流体にこの中温流体よりも温度が低い低温流体を混合させる第１の混合弁、および、中温流体にこの中温流体よりも温度が高い高温流体を混合させる第２の混合弁が一体に設けられたモジュール方式集合弁である。このモジュール方式集合弁は、後述する第１の部屋と、第２の部屋と、第３の部屋とを備えている。第１の部屋は、中温流体が流入される第１の流入口、および、流入された流体を流出させる出口となる第１の流出口の両方を有している。第２の部屋は、第１の部屋に隣接されている。また、第２の部屋は、低温流体が流入される第２の流入口、および、流入された流体を流出させる出口となる第２の流出口の両方を有している。第３の部屋は、第１の部屋に第２の部屋とは反対側から隣接されている。また、第３の部屋は、高温流体が流入される第３の流入口、および、流入された流体を流出させる出口となる第３の流出口の両方を有している。上記第１の混合弁は、第２の部屋と第１の部屋との間で開閉されることで、この第１の部屋内の流体に低温流体を流入させて混合させることと、この混合を停止させることとを実現させる。上記第２の混合弁は、第３の部屋と第１の部屋との間で開閉されることで、この第１の部屋内の流体に高温流体を流入させて混合させることと、この混合を停止させることとを実現させる。上記第２の流入口および第２の流出口は、一方が第１の流入口と同じ方向を向き、かつ、他方が第１の流出口と同じ方向を向くように配設される。上記第３の流入口および第３の流出口は、一方が第１の流入口と同じ方向を向き、かつ、他方が第１の流出口と同じ方向を向くように配設される。
【０００８】
この第１の発明によれば、モジュール方式集合弁において、中温流体に低温流体を混合させる第１の混合弁と中温流体に高温流体を混合させる第２の混合弁とが並列に並べられ、モジュール方式集合弁の各流出入口が列状に並べられる。これにより、モジュール方式集合弁に繋がる配管を列状に並べてシンプルにし、この配管の施工に必要な手間の増加を抑えることが可能なモジュール方式集合弁を提供することができる。
【０００９】
ついで、第２の発明は、上述した第１の発明であって、第１の流出口から流出される流体の温度を測定する温度センサーと、この温度センサーが測定した流体の温度に基づいて第１の混合弁の開度および第２の混合弁の開度を制御する開度制御装置とを備えたものである。
【００１０】
この第２の発明によれば、第２の部屋から低温流体を流入させる第１の混合弁および第３の部屋から高温流体を流入させる第２の混合弁の両方が、第１の流出口から流出される流体の温度に基づいて制御される。これにより、モジュール方式集合弁の制御システムをシンプルにし、この制御システムの施工に必要な手間の増加を抑えることが可能なモジュール方式集合弁を提供することができる。
【００１１】
ところで、配管を流れる流体の温度に基づく弁の制御システムにおいては、この流体が配管を流れることによる流体の温度変化が制御に影響を及ぼさないように、流体の温度を測定する温度センサーを上記弁の近くに配設することが好ましい。ここで、上記第１および第２の発明においては、第１の流出口が設けられる第１の部屋は、第２の部屋および第３の部屋の両方に対して、間に配管を挟むことなく隣接される。このため、上記第２の発明によれば、第１の混合弁および第２の混合弁を制御するための温度センサーを第１の混合弁および第２の混合弁の両方に近い位置に配設して、流体の温度変化による制御への影響を抑えたモジュール方式集合弁を提供することができる。
【００１２】
さらに、第３の発明は、上述した第１または第２の発明であって、上記第２の混合弁は、後述する弁孔と、弁体と、スリーブと、送りねじ機構とを備えているものである。上記弁孔は、上記第３の部屋と上記第１の部屋とを互いに連通させるものである。上記弁体は、上記弁孔に対して進退されることで、上記第２の混合弁を開閉させるものである。上記スリーブは、上記弁体に一体に設けられて、上記第１の部屋の内壁面にすべり移動可能に嵌め合わされる。上記送りねじ機構は、上記スリーブおよび上記弁体をねじ送りによって一緒に進退させることで、上記第２の混合弁の開度を調整する。
【００１３】
この第３の発明によれば、上記第２の混合弁の弁体は、この弁体に一体に設けられたスリーブを介して上記第１の部屋の内壁面に支持された状態で、ねじ送りにより開度の調整がなされる。これにより、第２の混合弁において、弁孔を通過する流体が弁体に当たることによる開度のぶれが抑えられて、この開度の制御をより高精度に行うことが可能とされたモジュール方式集合弁を提供することができる。
【００１４】
さらに、第４の発明は、上述した第１から第３の発明のいずれかであって、上記第１の流入口から流入されて上記第１の流出口から流出される流体の流れに当たることで、この流れの向きおよび流速を変化させるバッフルが、上記第１の部屋内に配設されているものである。
【００１５】
この第４の発明によれば、第１の部屋における流体の流れの向きおよび流速をバッフルにより変化させることで、第１の部屋内の流体に乱流を生じさせ、第１の混合弁および第２の混合弁から第１の部屋への流体の流入を促進させることができる。これにより、中温流体に対する低温流体あるいは高温流体の混合が促進されて、利用する流体を所望の温度にすることが容易とされたモジュール方式集合弁を提供することができる。
【００１６】
さらに、第５の発明は、上述した第１から第４の発明のいずれかであって、温水熱源機およびボイラーの一方あるいは両方の熱を利用するように切り替え制御されて、この熱によって給水管からの給水を温めて吐水管から吐水させる温水器に組み込まれるものである。ここで、上記温水熱源機は、供給された水を温めて温水にする能力を有している。また、上記ボイラーは、供給された水を加熱して上記温水よりも温度が高い熱水にする能力を有している。また、上記ボイラーには、このボイラーによって加熱されるべき水をこのボイラーに供給する水供給管と、この水供給管からの水をボイラーが加熱した熱水を流出させる熱水管とが付設されている。また、上記給水管は、上記第２の流入口に接続されて、上記給水を上記低温流体として上記第２の部屋に流入させる。また、上記第２の流出口には、上記温水熱源機によって温められるべき水を上記第２の部屋から送り出す送り出し管が接続される。また、上記第１の流入口には、上記温水熱源機によって温められた後の温水を上記中温流体として上記第１の部屋に送り込む送り込み管が接続される。また、吐水管は、上記第１の流出口に接続されて、この第１の流出口から流出された水を吐水する。また、上記熱水管および上記水供給管は、それぞれ上記第３の流入口および上記第３の流出口に接続される。これにより、上記熱水管および上記水供給管は、上記熱水を上記高温流体として上記第３の部屋に常時流入させることと、この第３の部屋内の水を上記ボイラーに常時供給することとを可能とする。また、上記第２の混合弁は、上記第１の部屋に上記第３の部屋内の上記熱水を流入させる際に、この熱水と同量の水を第１の部屋から第３の部屋に流入させるように構成されている。
【００１７】
この第５の発明によれば、温水器のモジュール方式集合弁において、給水管からの給水を温水熱源機からの温水に混合させる第１の混合弁と上記温水にボイラーからの熱水を混合させる第２の混合弁とが並列に並べられ、モジュール方式集合弁に繋がる配管が列状に並べられる。これにより、モジュール方式集合弁に繋がる配管の配設スペースをより薄くして、温水器をよりコンパクトなものとすることが可能な温水器のモジュール方式集合弁を提供することができる。また、上記第５の発明によれば、第３の部屋内の水を循環させてボイラーに繰り返し供給し、第３の部屋内を常にボイラーからの熱水が供給された状態とすることが可能となる。これにより、ボイラーからの熱水が必要となった場合に、第３の部屋内の熱水を即時に供給することが可能な温水器のモジュール方式集合弁を提供することができる。ここで、上記第２の混合弁が、第１の部屋に熱水を流入させる際にこの熱水と同量の水を第３の部屋に流入させる構成によれば、ボイラーに水を供給する配管を第３の部屋に繋がる水供給管のみとすることが可能となる。これにより、上記温水器に必要な配管の本数を減らして、この温水器をよりコンパクトなものとすることが可能な温水器のモジュール方式集合弁を提供することができる。
【図面の簡単な説明】
【００１８】
【図１】本発明の第１の実施形態にかかるモジュール方式集合弁１０が組み込まれた温水器９０を表した概略構成図である。
【図２】図１のモジュール方式集合弁１０を表した正面図である。
【図３】図１のモジュール方式集合弁１０を表した右側面図である。
【図４】図３のＩＶ−ＩＶ線断面図であり、第１の流入口１１Ａから流入される温水９３Ｂをそのまま第１の流出口１１Ｂから流出させている状態を表す。
【図５】図４と同様の断面図であり、第１の流入口１１Ａから流入される温水９３Ｂに第２の流入口１２Ａから流入される給水９１Ａを混合させて第１の流出口１１Ｂから流出させている状態を表す。
【図６】図４と同様の断面図であり、第１の流入口１１Ａから流入される温水９３Ｂに第３の流入口１３Ａから流入される熱水９５Ａを混合させて第１の流出口１１Ｂから流出させている状態を表す。
【図７】図１のモジュール方式集合弁１０が組み込まれた温水器９０の変形例を表した概略構成図である。
【図８】図１のモジュール方式集合弁１０を表した斜視図である。
【図９】本発明の第２の実施形態にかかるモジュール方式集合弁２０を表した斜視図である。
【図１０】図９のモジュール方式集合弁２０の使用状態を表した右側面図である。
【図１１】図９のモジュール方式集合弁２０の内部にある弁体２５Ｂおよびスリーブ２５Ｅを表した斜視図である。
【図１２】図１０のＸＩＩ−ＸＩＩ線断面矢視図であり、第１の流入口２１Ａから流入される温水９３Ｂをそのまま第１の流出口２１Ｂから流出させている状態を表す。
【図１３】図１２と同様の断面矢視図であり、第１の流入口２１Ａから流入される温水９３Ｂに第２の流入口２２Ａから流入される給水９１Ａを混合させて第１の流出口２１Ｂから流出させている状態を表す。
【図１４】図１２と同様の断面矢視図であり、第１の混合弁２４を閉め、第２の混合弁２５を比較的小さい開度で開けた状態を表す。
【図１５】図１２と同様の断面矢視図であり、第１の混合弁２４を閉め、第２の混合弁２５を比較的大きい開度で開けた状態を表す。
【図１６】図７のモジュール方式集合弁１０を表した正面図である。
【図１７】図７のモジュール方式集合弁１０を表した右側面図である。
【図１８】図１７のＸＶＩＩＩ−ＸＶＩＩＩ線断面図であり、第２の流入口１２Ａから流入される給水９１Ａと第３の流入口１３Ａから流入される熱水９５Ａとを混合させて第１の流出口１１Ｂから流出させている状態を表す。
【発明を実施するための形態】
【００１９】
以下に、本発明を実施するための形態について、図面を用いて説明する。なお、以下においては、温水器９０のボイラー９０Ｂ（図１参照）に水９６Ａを送り込むためのポンプなどの付随的な構成について、その図示および詳細な説明を省略する。
【００２０】
〈第１の実施形態〉
始めに、第１の実施形態にかかるモジュール方式集合弁１０の構成について、主に図１ないし図６を用いて説明する。このモジュール方式集合弁１０は、図１に示すように、ヒートポンプ式加熱装置９７およびボイラー９０Ｂを熱源として備えた温水器９０に組み込まれるものである。この温水器９０は、コンピュータ１０Ｂにより上記各熱源の一方あるいは両方の熱を利用するように切り替え制御されて、給水管９１からの給水９１Ａを温めて吐水管９４の蛇口９４Ａから水９４Ｂとして吐水させる温水器である。ここで、コンピュータ１０Ｂは、蛇口９４Ａから出る水９４Ｂの温度として使用者９８が所望する温度（以下、「設定温度」とも称する。）を含む情報を、使用者９８が設定情報９８Ａとして入力することができるようになっている。
【００２１】
温水器９０において、給水管９１は、水源９１Ｂ（本実施形態では例えば上水道）からの給水９１Ａを、モジュール方式集合弁１０を介して送り出し管９２に水９２Ｂとして送り出すようになっている。ここで、給水９１Ａは本発明における「低温流体」に相当し、本実施形態では例えば１０［℃］〜２０［℃］程度の温度の水である。
【００２２】
送り出し管９２は、温水器９０に備えられたタンク９０Ａの底に接続されて、このタンク９０Ａに水９２Ｂを送り出して貯留させるように構成されている。なお、送り出し管９２は、図７、および、図１６ないし図１８に示すように、タンク９０Ｂに向けて送り出される水９２Ｂの流れを遮断することが可能な開閉弁９２Ａを備えたものであってもよい。この開閉弁９２Ａは、図１６ないし図１８においては、送り出し管９２がモジュール方式集合弁１０に接続される位置に設けられているが、その配置位置は適宜変更することができる。
【００２３】
タンク９０Ａには、図１に示すように、送り出し管９２とは別にモジュール方式集合弁１０に接続される送り込み管９３と、ヒートポンプ式加熱装置９７の温水管９７Ｂおよび水供給管９７Ａとが接続されている。この水供給管９７Ａは、タンク９０Ａの底に接続されて、このタンク９０Ａ内に貯留された水９２Ｂをタンク９０Ａの底側から取り込んでヒートポンプ式加熱装置９７に供給するように構成されている。このヒートポンプ式加熱装置９７は、水供給管９７Ａから供給される水９２Ｂを、外気から吸収した熱エネルギーを利用しながら温めて温水９３Ｂとするように構成されている。ここで、ヒートポンプ式加熱装置９７は、本発明における「温水熱源機」に相当する。
【００２４】
また、ヒートポンプ式加熱装置９７は、供給された水９２Ｂを温めた後の温水９３Ｂを温水管９７Ｂから流出させるように構成されている。この温水管９７Ｂは、タンク９０Ａの上部に接続されて、このタンク９０Ａ内に貯留された水９２Ｂの上から温水９３Ｂを注ぐように構成されている。ここで、温水９３Ｂは、水９２Ｂよりも温度が高く比重が小さいため、タンク９０Ａ内において水９２Ｂと混ざり合うことなくこの水９２Ｂの上に層をなして貯留される（図示省略）。
【００２５】
また、送り込み管９３は、図１に示すように、タンク９０Ａの上部に接続されて、このタンク９０Ａ内に貯留された温水９３Ｂを汲み上げてモジュール方式集合弁１０に送り込むように構成されている。ここで、温水９３Ｂは、本発明における「中温流体」に相当し、本実施形態では例えば４０［℃］〜５０［℃］程度の温度の水である。なお、送り込み管９３は、図７、図１６、および、図１８に示すように、タンク９０Ｂに向けて送り込まれる温水９３Ｂの流れを遮断することが可能な開閉弁９３Ａを備えたものであってもよい。この開閉弁９３Ａは、図１６および図１８においては、送り込み管９３がモジュール方式集合弁１０に接続される位置に設けられているが、その配置位置は適宜変更することができる。
【００２６】
また、温水器９０のボイラー９０Ｂは、図１に示すように、熱水管９５および水供給管９６が付設されて、この水供給管９６から供給される水９６Ａを加熱して温水９３Ｂよりも高温の熱水９５Ａとし、この熱水９５Ａを熱水管９５から流出させるようになっている。ここで、熱水９５Ａは、本発明における「高温流体」に相当し、本実施形態では例えば７０［℃］〜８０［℃］程度の温度の水である。なお、本実施形態において、ボイラー９０Ｂは、供給された液化石油ガス（図示省略）を燃焼させた燃焼熱により水９６Ａを加熱するようになっている。
【００２７】
モジュール方式集合弁１０には、図４ないし図６に示すように、温水９３Ｂに給水９１Ａを混合させる第１の混合弁１４と、温水９３Ｂに熱水９５Ａを混合させる第２の混合弁１５とが一体に設けられている。また、モジュール方式集合弁１０は、図８に示すように、それぞれが円筒形状に形成された第１の部屋１１、第２の部屋１２、および、第３の部屋１３を備えている。
【００２８】
モジュール方式集合弁１０の第１の部屋１１は、図４ないし図６に示すように、この第１の部屋１１の円筒面上に送り込み管９３が接続される第１の流入口１１Ａを備えて、この第１の流入口１１Ａから、ヒートポンプ式加熱装置１７によって温められた後の温水９３Ｂが送り込まれるようになっている。また、第１の部屋１１は、吐水管９４が接続される第１の流出口１１Ｂを備えて、この第１の流出口１１Ｂから吐水管９４に向けて第１の部屋１１内の水９４Ｂを流出させるようになっている。言いかえると、第１の流出口１１Ｂは、第１の部屋１１に流入された流体（例えば図４では温水９３Ｂ）を流出させる出口となるものである。
【００２９】
また、モジュール方式集合弁１０の第２の部屋１２は、図４ないし図６に示すように、この第２の部屋１２の円筒面上に給水管９１が接続される第２の流入口１２Ａを備えて、この第２の流入口１２Ａから給水９１Ａが流入されるようになっている。また、第２の部屋１２は、送り出し管９２が接続される第２の流出口１２Ｂを備えて、この第２の流出口１２Ｂからヒートポンプ式加熱装置１７（図１参照）によって温められるべき水９２Ｂを送り出すようになっている。言いかえると、第２の流出口１２Ｂは、第２の部屋１２に流入された流体（例えば図４では給水９１Ａ）を流出させる出口となるものである。
【００３０】
また、モジュール方式集合弁１０の第３の部屋１３は、図４ないし図６に示すように、この第３の部屋１３の円筒面上に、熱水管９５が接続されてこの熱水管９５からの熱水９５Ａが流入される第３の流入口１３Ａを備えている。また、第３の部屋１３は、この第３の部屋１３の円筒面上に、水供給管９６が接続される第３の流出口１３Ｂを備えている。この第３の流出口１３Ｂは、接続された水供給管９６に向けて、第３の部屋１３に流入された流体（例えば図４では熱水９５Ａ）を流出させる出口となるものである。
【００３１】
また、熱水管９５および水供給管９６は、図１に示すように、それぞれに備えられたポンプ（図示省略）により、第３の部屋１３、水供給管９６、ボイラー９０Ｂ、熱水管９５をこの順で巡って第３の部屋１３に戻る循環流を生じさせるようになっている。これらの構成により、熱水管９５および水供給管９６は、熱水９５Ａを第３の部屋１３に常時流入させながら、この第３の部屋１３内の水９６Ａを循環させてボイラー９０Ｂに常時供給することを実現させている。
【００３２】
上記各構成によれば、第３の部屋１３内の水を循環させてボイラー９０Ｂに繰り返し供給することで、第３の部屋１３内を常にボイラー９０Ｂからの熱水９５Ａが供給された状態とすることが可能となる。これにより、ボイラー９０Ｂからの熱水９５Ａが必要となった場合に、第３の部屋１３内の熱水９５Ａを即時に供給することが可能な温水器９０のモジュール方式集合弁１０を提供することができる。
【００３３】
モジュール方式集合弁１０において、第２の部屋１２は、図２、および、図４ないし図６に示すように、第１の部屋１１に対して、一方側（図２で見て左側）から、間に配管を挟むことなく隣接されている。また、モジュール方式集合弁１０において、第３の部屋１３は、第１の部屋１１に対して、第２の部屋１２とは反対側（図２で見て右側）から、間に配管を挟むことなく隣接されている。
【００３４】
また、モジュール方式集合弁１０において、第１の混合弁１４は、図４ないし図６に示すように、第２の部屋１２と第１の部屋１１との間で開閉されるようになっている。これにより、第１の混合弁１４は、第１の部屋１１内の流体に給水９１Ａを流入させて混合させること（図５を参照）と、この混合を停止させること（図４および図６を参照）とを実現させる。
【００３５】
具体的には、第１の混合弁１４は、第２の部屋１２と第１の部屋１１とを互いに連通させる弁孔１４Ａと、この弁孔１４Ａに第２の部屋１２側（図４で見て左側）から栓をすることで第１の混合弁１４を開閉させる弁体１４Ｂとを備えている。この弁体１４Ｂには、弁孔１４Ａとは反対側（図４で見て左側）となる面に弁棒１４Ｄが取り付けられている。この弁棒１４Ｄは、第２の部屋１２において第１の部屋１１とは反対側（図４で見て左側）となる壁に取り付けられた送りねじ機構１４Ｃに支持されている。この送りねじ機構１４Ｃは、弁体１４Ｂおよび弁棒１４Ｄをこの弁棒１４Ｄの周方向に回転させながら進退させるねじ送りによって、弁孔１４Ａと弁体１４Ｂとの距離（すなわち第１の混合弁１４の開度）を調整することができるようになっている。
【００３６】
また、モジュール方式集合弁１０において、第２の混合弁１５は、第３の部屋１３と第１の部屋１１との間で開閉されるようになっている。これにより、第２の混合弁１５は、第１の部屋１１内の流体に熱水９５Ａを流入させて混合させること（図６を参照）と、この混合を停止させること（図４および図５を参照）とを実現させる。
【００３７】
具体的には、第２の混合弁１５は、第３の部屋１３と第１の部屋１１とを互いに連通させる弁孔１５Ａと、この弁孔１５Ａに第３の部屋１３側（図４で見て右側）から栓をすることで第２の混合弁１５を開閉させる弁体１５Ｂとを備えている。この弁体１５Ｂには、弁孔１５Ａとは反対側（図４で見て右側）となる面に弁棒１５Ｄが取り付けられている。この弁棒１５Ｄは、第３の部屋１３において第１の部屋１１とは反対側（図４で見て右側）となる壁に取り付けられた送りねじ機構１５Ｃに支持されている。この送りねじ機構１５Ｃは、弁体１５Ｂおよび弁棒１５Ｄをこの弁棒１５Ｄの周方向に回転させながら進退させるねじ送りによって、弁孔１５Ａと弁体１５Ｂとの距離（すなわち第２の混合弁１５の開度）を調整することができるようになっている。
【００３８】
ところで、モジュール方式集合弁１０において、第１の流入口１１Ａ、第２の流入口１２Ａ、および、第３の流入口１３Ａは同じ方向（図４で見て上方向）に向けられている。また、モジュール方式集合弁１０において、第１の流出口１１Ｂ、第２の流出口１２Ｂ、および、第３の流出口１３Ｂは同じ方向（各流入口１１Ａ、１２Ａ、１３Ａとは反対の方向、図４で見て下方向）に向けられている。
【００３９】
上述した各構成によれば、温水器９０のモジュール方式集合弁１０において、給水管９１からの給水９１Ａをヒートポンプ式加熱装置１７からの温水９３Ｂに混合させる第１の混合弁１４と、上記温水９３Ｂにボイラー９０Ｂからの熱水９５Ａを混合させる第２の混合弁１５とが並列に並べられる。また、モジュール方式集合弁１０においては、その各流入口１１Ａ、１２Ａ、１３Ａおよび各流出口１１Ｂ、１２Ｂ、１３Ｂがそれぞれ列状に並べられる。これにより、モジュール方式集合弁１０に繋がる配管を列状に並べてシンプルにし、この配管の施工に必要な手間の増加を抑えることが可能なモジュール方式集合弁１０を提供することができる。ここで、温水器９０のモジュール方式集合弁１０において、このモジュール方式集合弁１０に繋がる配管を列状に並べる構成によれば、モジュール方式集合弁１０に繋がる配管に必要な配設スペース９０Ｃ（図２および図３を参照）をより薄くすることができる。これにより、温水器９０をよりコンパクトなものとすることが可能な温水器９０のモジュール方式集合弁１０を提供することができる。
【００４０】
さて、モジュール方式集合弁１０の第１の部屋１１には、図１、図２、および、図８に示すように、温度センサー１０Ａが取り付けられている。この温度センサー１０Ａは、図１に示すように、第１の流出口１１Ｂ（図８参照）から流出される水９４Ｂの温度を測定して、測定した温度（以下、「測定温度」とも称する。）を出力信号１０Ｃとしてコンピュータ１０Ｂに出力するようになっている。
【００４１】
コンピュータ１０Ｂには、温度センサー１０Ａからの出力信号１０Ｃと、使用者９８からの設定情報９８Ａとが入力される。そして、コンピュータ１０Ｂは、出力信号１０Ｃおよび設定情報９８Ａに応じて、制御信号１０Ｄを第１の混合弁１４および第２の混合弁１５に出力する。これにより、コンピュータ１０Ｂは第１の混合弁１４および第２の混合弁１５の開度を制御する。すなわち、コンピュータ１０Ｂは、本発明における「開度制御装置」に相当する。
【００４２】
ここで、コンピュータ１０Ｂ（図１参照）により実現されるモジュール方式集合弁１０の制御パターンについて説明する。モジュール方式集合弁１０は、初期状態においては、図４に示すように、その第１の混合弁１４および第２の混合弁１５の両方が閉じられた状態とされている。
【００４３】
この状態において、第２の流入口１２Ａから第２の部屋１１に流入された給水９１Ａは、そのまま水９２Ｂとして第２の流出口１２Ｂから流出される。また、第３の流入口１３Ａから第３の部屋１３に流入された熱水９５Ａは、そのまま水９６Ａとして第３の流出口１３Ｂから流出される。また、第１の流入口１１Ａから第１の部屋１１に流入された温水９３Ｂは、そのまま水９４Ｂとして第１の流出口１１Ｂから流出される。ここで、コンピュータ１０Ｂは、このコンピュータ１０Ｂに入力された測定温度と設定温度とが等しい間、第１の混合弁１４および第２の混合弁１５の各開度を変えることなく維持する。
【００４４】
第１の混合弁１４および第２の混合弁１５の両方が閉じられた状態（図４参照）において、上記測定温度が上記設定温度よりも高くなった場合には、図５に示すように、コンピュータ１０Ｂは、第２の混合弁１５を閉じたまま第１の混合弁１４を開ける。この状態において、第３の流入口１３Ａから第３の部屋１３に流入された熱水９５Ａは、そのまま水９６Ａとして第３の流出口１３Ｂから流出される。また、第２の流入口１２Ａから第２の部屋１１に流入された給水９１Ａは、一部が第１の混合弁１４を介して第１の部屋１１に流入され、残りが第２の流出口１２Ｂから流出される。また、第１の流入口１１Ａから第１の部屋１１に流入された温水９３Ｂは、第１の混合弁１４から流入される給水９１Ａが混合されることによって温度が下げられ、水９４Ｂとして第１の流出口１１Ｂから流出される。
【００４５】
なお、第１の混合弁１４は、第１の部屋１１に第２の部屋１２内の給水９１Ａを流入させる際に、この給水９１Ａと同量の水９４Ｂを第１の部屋１１から第２の部屋１２に流入させるように構成されている。この第２の部屋１２に流入された水９４Ｂは、第２の流入口１２Ａから第２の部屋１２に流入された給水９１Ａと混ざりながら水９２Ｂとして第２の流出口１２Ｂから流出される。
【００４６】
図５に示す状態において、コンピュータ１０Ｂは、上記測定温度が上記設定温度より高い間は第１の混合弁１４の開度を大きくして温水９３Ｂに対する給水９１Ａの混合割合を多くすることで、上記測定温度を下げるように制御を行う。また、コンピュータ１０Ｂは、上記測定温度が上記設定温度より低くなると、第１の混合弁１４の開度を小さくするあるいは閉め切る操作によりこの第１の混合弁１４からの給水９１Ａの流入を絞ることで、上記測定温度を上げるように制御を行う。これらの制御において、コンピュータ１０Ｂは、第２の混合弁１５を閉じた状態に維持する。
【００４７】
ところで、第１の部屋１１において、第１の流出口１１Ｂは、第１の流入口１１Ａから流入される温水９３Ｂの流れに対して、この流れの方向と交わる方向に位置ずれされた状態に配設されている。このため、第１の流入口１１Ａから第１の部屋１１に流入された温水９３Ｂは、第１の部屋１１の内壁面１１Ｃに当たってその流れの向きおよび流速が変化される。
【００４８】
言いかえると、第１の部屋１１において、その内壁面１１Ｃの一部は、第１の流入口１１Ａから流入されて第１の流出口１１Ｂから流出される水の流れに当たることで、この流れの向きおよび流速を変化させるバッフル１１Ｄとされている。このバッフル１１Ｄは、第１の部屋１１内の水９４Ｂに乱流（図示省略）を生じさせ、第１の混合弁１４から第１の部屋１１への給水９１Ａの流入を促進させる機能を発揮する。すなわち、第１の部屋１１内にバッフル１１Ｄを配設する構成によれば、温水９３Ｂに対する給水９１Ａの混合が促進されて、利用する水９４Ｂを所望の温度に下げることが容易とされたモジュール方式集合弁１０を提供することができる。
【００４９】
一方、第１の混合弁１４および第２の混合弁１５の両方が閉じられた状態（図４参照）において、上記測定温度が上記設定温度よりも低くなった場合には、図６に示すように、コンピュータ１０Ｂは、第１の混合弁１４を閉じたまま第２の混合弁１５を開ける。この状態において、第２の流入口１２Ａから第２の部屋１１に流入された給水９１Ａは、そのまま水９２Ｂとして第２の流出口１２Ｂから流出される。また、第３の流入口１３Ａから第３の部屋１３に流入された熱水９５Ａは、一部が第２の混合弁１５を介して第１の部屋１１に流入され、残りが第３の流出口１３Ｂから流出される。また、第１の流入口１１Ａから第１の部屋１１に流入された温水９３Ｂは、第２の混合弁１５から流入される熱水９５Ａが混合されることによって温度が上げられ、水９４Ｂとして第１の流出口１１Ｂから流出される。
【００５０】
なお、第２の混合弁１５は、第１の部屋１１に第３の部屋１３内の熱水９５Ａを流入させる際に、この熱水９５Ａと同量の水９４Ｂを第１の部屋１１から第３の部屋１３に流入させるように構成されている。この第３の部屋１３に流入された水９４Ｂは、第３の流入口１３Ａから第３の部屋１３に流入された熱水９５Ａと混ざりながら水９６Ａとして第３の流出口１３Ｂから流出される。この構成によれば、ボイラー９０Ｂに水を供給する配管を第３の部屋１３に繋がる水供給管９６のみとして温水器９０に必要な配管の本数を減らし、この温水器９０をよりコンパクトなものとすることが可能な温水器９０のモジュール方式集合弁１０を提供することができる。
【００５１】
図６に示す状態において、コンピュータ１０Ｂは、上記測定温度が上記設定温度より低い間は第２の混合弁１５の開度を大きくして温水９３Ｂに対する熱水９５Ａの混合割合を多くすることで、上記測定温度を上げるように制御を行う。また、コンピュータ１０Ｂは、上記測定温度が上記設定温度より高くなると、第２の混合弁１５の開度を小さくするあるいは閉め切る操作によりこの第２の混合弁１５からの熱水９５Ａの流入を絞ることで、上記測定温度を下げるように制御を行う。これらの制御において、コンピュータ１０Ｂは、第１の混合弁１４を閉じた状態に維持する。
【００５２】
上述した各構成および各制御パターンによれば、第２の部屋１２から給水９１Ａを流入させる第１の混合弁１４および第３の部屋１３から熱水９５Ａを流入させる第２の混合弁１２の両方が、第１の流出口１１Ｂから流出される水９４Ｂの温度に基づいて制御される。これにより、モジュール方式集合弁１０の制御システムをシンプルにし、この制御システムの施工に必要な手間の増加を抑えることが可能なモジュール方式集合弁１０を提供することができる。
【００５３】
なお、図６に示す状態において、第１の部屋１１のバッフル１１Ｄは、第１の部屋１１内の水９４Ｂに乱流（図示省略）を生じさせ、第２の混合弁１５から第１の部屋１１への熱水９５Ａの流入を促進させる機能を発揮する。すなわち、第１の部屋１１にバッフル１１Ｄを備えさせる構成によれば、温水９３Ｂに対する熱水９５Ａの混合が促進されて、利用する水９４Ｂを所望の温度に上げることが容易とされたモジュール方式集合弁１０を提供することができる。
【００５４】
さて、モジュール方式集合弁１０を組み込んだ温水器９０においては、図７、図１６、および、図１８に示すように、その送り出し管９２および送り込み管９３に、水の流れを遮断することが可能な開閉弁９２Ａ、９３Ａを備えさせた変形例を採用することができる。この変形例において、コンピュータ１０Ｂは、制御信号１０Ｄ（図７参照）を各開閉弁９２Ａ、９３Ａに出力して、この各開閉弁９２Ａ、９３Ａの開閉を、第１の混合弁１４および第２の混合弁１５とは別に制御できるものとしてもよい。
【００５５】
この場合、コンピュータ１０Ｂは、使用者９８からの設定情報９８Ａ（図７参照）に応じて第１の混合弁１４、第２の混合弁１５、および、各開閉弁９２Ａ、９３Ａを制御し、ボイラー９０Ｂのみを熱源として給水９１Ａを温める制御パターンを実現することができる。この制御パターンは、例えば外気温が低いためにヒートポンプ式加熱装置９７では給水９１Ａを温水９３Ｂに温める際のエネルギー効率が悪い場合などに選択されて切り替えられる制御パターンである。この制御パターンにおいては、図１８に示すように、開閉弁９２Ａおよび開閉弁９３Ａは、その両方が閉じられることで、送り出し管９２から送り出される水９２Ｂおよび送り込み管９３から送り込まれる温水９３Ｂ（図４参照）の両方をストップさせる。また、モジュール方式集合弁１０の第１の混合弁１４および第２の混合弁１５は、その両方が開かれる。
【００５６】
この状態において、第２の流入口１２Ａから第２の部屋１１に流入された給水９１Ａは、第１の混合弁１４を介して第１の部屋１１に流入される。また、第３の流入口１３Ａから第３の部屋１３に流入された熱水９５Ａは、一部が第２の混合弁１５を介して第１の部屋１１に流入され、残りが第３の流出口１３Ｂから流出される。また、第１の混合弁１４を介して第１の部屋１１に流入された給水９１Ａは、第２の混合弁１５から流入される熱水９５Ａが混合されることによって温度が上げられ、水９４Ｂとして第１の流出口１１Ｂから流出される。
【００５７】
図１８に示す状態において、コンピュータ１０Ｂは、上述した測定温度が上述した設定温度より低い間は第２の混合弁１５の開度を大きくして給水９１Ａに対する熱水９５Ａの混合割合を多くすることで、上記測定温度を上げるように制御を行う。また、コンピュータ１０Ｂは、上記測定温度が上記設定温度より高くなると、第２の混合弁１５の開度を小さくする操作によりこの第２の混合弁１５からの熱水９５Ａの流入を絞ることで、上記測定温度を下げるように制御を行う。これらの制御において、コンピュータ１０Ｂは、第１の混合弁１４を開かれた状態に維持し、開閉弁９２Ａおよび開閉弁９３Ａの両方を閉じた状態に維持する。
【００５８】
〈第２の実施形態〉
続いて、第２の実施形態にかかるモジュール方式集合弁２０の構成について、図９ないし図１５を用いて説明する。第２の実施形態にかかるモジュール方式集合弁２０は、第１の実施形態にかかるモジュール方式集合弁１０を変形した実施形態である。したがって、上記第１の実施形態にかかるモジュール方式集合弁１０の各構成と共通する構成については、第１の実施形態にかかるモジュール方式集合弁１０の各構成に付した符号から、その十の位の「１」を「２」に置き換えた符号を付して対応させ、その詳細な説明を省略する。
【００５９】
第２の実施形態にかかるモジュール方式集合弁２０は、図１２ないし図１５に示すように、第１の実施形態にかかるモジュール方式集合弁１０において第２の混合弁１５を開閉させる弁体１５Ｂ（図４ないし図６を参照）を、スリーブ２５Ｅが一体に設けられた弁体２５Ｂに置き換えたものである。すなわち、モジュール方式集合弁２０の第２の混合弁２５は、弁孔２５Ａと、弁体２５Ｂと、スリーブ２５Ｅと、送りねじ機構２５Ｃと、弁棒２５Ｄとを備えている。このモジュール方式集合弁２０を組み込んだ温水器９０においては、図９に示すように、その送り出し管９２および送り込み管９３に、コンピュータ１０Ｂからの制御信号１０Ｄによって開閉が制御される開閉弁９２Ａ、９３Ａが備えられている。
【００６０】
第２の混合弁２５において、弁孔２５Ａは、図１２ないし図１５に示すように、第１の部屋２１の内壁面２１Ｃと面一となるように開口されて、第３の部屋２３と第１の部屋２１とを互いに連通させるようになっている。また、弁体２５Ｂは、弁孔２５Ａの中に入り込んでこの弁孔２５Ａを塞ぐことが可能なサイズの有底円筒として形成されて、この弁孔２５Ａに対して進退されることで第２の混合弁２５を開閉させるようになっている。
【００６１】
また、スリーブ２５Ｅは、図１０ないし図１５に示すように、弁体２５Ｂから延長された中空の円筒形状に形成されて、同じく円筒形状に形成された第１の部屋２１の内壁面２１Ｃ（図１０参照）にすべり移動可能に嵌め合わされている。また、送りねじ機構２５Ｃは、弁棒２５Ｄをこの弁棒２５Ｄの周方向に回転させながら進退させるねじ送りによって、弁体２５Ｂおよびスリーブ２５Ｅを一緒に回転させながら進退させて、第２の混合弁２５の開度を調整することができるようになっている。
【００６２】
上記各構成によれば、第２の混合弁２５の弁体２５Ｂは、この弁体２５Ｂに一体に設けられたスリーブ２５Ｅを介して第１の部屋２１の内壁面２１Ｃに支持された状態で、ねじ送りにより開度の調整がなされる。これにより、第２の混合弁２５において、弁孔２５Ａを通過する熱水９５Ａおよび水９４Ｂ（図１３参照）が弁体２５Ｂに当たることによる開度のぶれが抑えられて、この開度の制御をより高精度に行うことが可能とされたモジュール方式集合弁２０を提供することができる。
【００６３】
なお、スリーブ２５Ｅは、図１２に示すように、弁体２５Ｂが弁孔２５Ａを塞いだ第２の混合弁２５の閉状態において、弁体２５Ｂとは反対側の端（図示左側の端）が第１の混合弁２４に第１の部屋２１側（図示右側）から当接するようにされている。このため、第１の混合弁２４の弁体２４Ｂは、第１の部屋２１においてスリーブ２５Ｅと干渉することを防ぐために、第１の混合弁２４の弁孔２５Ａから第１の部屋２１側（図示右側）に突出することがないように形成されている。
【００６４】
また、弁体２５Ｂには、図１１ないし図１５に示すように、その有底円筒の高さが一方側（図１２で見て上側）に低くされた形状の片勾配部２５Ｈが形成されている。この片勾配部２５Ｈは、図１２に示すように、上述した第２の混合弁２５の閉状態において第３の流入口２３Ａ側（図１２で見て上側）を向くように配設されている。また、モジュール方式集合弁２０を制御するコンピュータ２０Ｂ（図９参照）は、弁体２５Ｂおよびスリーブ２５Ｅの進退を、送りねじ機構２５Ｃが弁棒２５Ｄをこの弁棒２５Ｄの正逆いずれかの周方向に３６０［°］だけ回転させる動作の繰り返しによって実現させる。これにより、片勾配部２５Ｈは、弁体２５Ｂおよびスリーブ２５Ｅの進退が止まっている間において、常に第３の流入口２３Ａ側（図１２で見て上側）を向くようにされる。
【００６５】
また、スリーブ２５Ｅは、図１４に示すように、第２の混合弁２５を比較的小さい開度で開けた小開度開状態において、第１の流入口２１Ａを部分的に塞いでこの第１の流入口２１Ａからの温水９３Ｂの流入を絞るようになっている。ここで、上述した各構成によれば、上記小開度開状態において、第２の混合弁２５を介した熱水９５Ａの流入および水９４Ｂの流出を促進させることができる。これにより、上記小開度開状態における温水９３Ｂと熱水９５Ａとの混合が促進されて、利用する水９４Ｂの温度の微調整が容易とされたモジュール方式集合弁２０を提供することができる。
【００６６】
ところで、スリーブ２５Ｅには、図１１ないし図１５に示すように、その円筒形状の側面の複数個所に入れられた切り込みであるノッチ２５Ｆが形成されている。この各ノッチ２５Ｆは、複数箇所においてスリーブ２５Ｅの円筒形状の内外を互いに連通させることで、この内外の間における水の流出入を可能とするものである。なお、各ノッチ２５Ｆは、スリーブ２５Ｅにおいて、片勾配部２５Ｈと同じ側（図１２で見て上側）あるいは片勾配部２５Ｈとは反対側（図１２で見て下側）のいずれかを向いて開口されるように配設されている。
【００６７】
また、スリーブ２５Ｅには、このスリーブ２５Ｅの各ノッチ２５Ｆの底となる部分に、平面状のバッフル２５Ｇが形成されている。この各バッフル２５Ｇは、第１の部屋２１内における水９４Ｂの流れの向きおよび流速を変化させてこの水９４Ｂに乱流（図示省略）を生じさせ、第１の混合弁２４からの給水９１Ａおよび第２の混合弁２５からの熱水９５Ａの流入を促進させる機能を発揮する。この構成によれば、温水９３Ｂに対する給水９１Ａあるいは熱水９５Ａの混合が促進されて、利用する水９４Ｂを所望の温度にすることが容易とされたモジュール方式集合弁２０を提供することができる。
【００６８】
ここで、各バッフル２５Ｇは、スリーブ２５Ｅに対して一体化されて、このスリーブ２５Ｅおよび弁体２５Ｂを回転させて進退する際に一緒に回転されるようになっている。この構成によれば、第１の部屋２１内の水９４Ｂに溶解された物質が析出したスケール（図示省略）が各バッフル２５Ｇに付着することが抑えられて、上記スケールを除去するメンテナンスの頻度が抑えられたモジュール方式集合弁２０を提供することができる。
【００６９】
なお、各ノッチ２５Ｆおよび各バッフル２５Ｇの各角部を含む、モジュール方式集合弁２０において水と接触する各角部に、丸面取りおよび角面取りを含む面取り加工を施した場合（図示省略）には、上記各構成により生じる水の乱流が抑えられる。この場合、水の乱流による異音および耐久性の低下を抑えることができるモジュール方式集合弁２０を提供することができる。
【００７０】
本発明は、上述した第１および第２の実施形態で説明した外観、構成に限定されず、本発明の要旨を変更しない範囲で種々の変更、追加、削除が可能である。例えば、以下のような各種の形態を実施することができる。
【００７１】
（１）上述した第２の実施形態にかかるモジュール方式集合弁２０において、スリーブ２５Ｅに設けられるバッフル２５Ｇ（図１０ないし図１５を参照）は、適宜省略することができる。
【００７２】
（２）本発明にかかるモジュール方式集合弁において、弁体および弁棒をねじ送りによって一緒に進退させる送りねじ機構の構成は上述したものに限定されない。すなわち、本発明にかかるモジュール方式集合弁の送りねじ機構としては、例えば弁棒を回転されないように保持しながらこの弁棒と弁体とを一緒に進退させる差動ねじ機構を採用することができる。また、本発明の第３の発明にかかるモジュール方式集合弁においては、ねじ山をスリーブと第１の部屋の内壁面とに形成してこの内壁面にスリーブを螺合させ、このスリーブを第１の部屋に対してねじ送りして弁体と一緒に進退させる機構を採用することができる。
【００７３】
（３）本発明にかかるモジュール方式集合弁において、第１の流入口から流入されて第１の流出口から流出される水の流れに当たることで、この流れの向きおよび流速を変化させるバッフルの構成は上述したものに限定されない。すなわち、本発明にかかるモジュール方式集合弁のバッフルは、例えば第１の部屋においてこの第１の部屋の内壁面から突出された突起あるいは壁とすることができ、その数および具体的な形状は適宜変更することができる。この場合においては、第１の部屋における第１の流入口と第１の流出口との位置ずれをなくして、第１の部屋の内壁面がバッフルとしての機能を発揮しないようにしてもよい。
【００７４】
（４）本発明にかかるモジュール方式集合弁において、各流入口が向く方向と各流出口が向く方向とがなす角度は適宜変更することができる。また、本発明にかかるモジュール方式集合弁の、第１の部屋、第２の部屋、第３の部屋のそれぞれにおいて、流入口と流出口とを適宜入れ替えることができる。この場合においても、第２の流入口および第２の流出口は、一方が第１の流入口と同じ方向を向き、かつ、他方が第１の流出口と同じ方向を向く。また、第３の流入口および第３の流出口は、一方が第１の流入口と同じ方向を向き、かつ、他方が第１の流出口と同じ方向を向く。
【００７５】
（５）本発明にかかるモジュール方式集合弁が組み込まれる温水器においては、外気から吸収した熱エネルギーを利用しながら給水管からの給水を温めるヒートポンプ式加熱装置は必須の構成ではない。すなわち、上記ヒートポンプ式加熱装置は、例えば燃料電池の廃熱を利用して水を温める温水熱源機あるいは電熱ヒーターにより水を温める電気温水器など、任意の種類の温水熱源機に置き換えることができる。
【００７６】
（６）本発明にかかるモジュール方式集合弁が組み込まれる温水器においては、供給された液化石油ガスを燃焼させた燃焼熱により水を加熱して熱水とするボイラーは必須の構成ではない。すなわち、上記ボイラーは、例えば電熱ヒーターにより水を加熱して熱水とする電気給湯器、あるいは、燃料油を含む任意の燃料を燃焼させた燃焼熱により水を加熱して熱水とするボイラーなど、任意の種類のボイラーに置き換えることができる。
【００７７】
（７）本発明にかかるモジュール方式集合弁は、給水管からの給水を温めた後に吐水管から吐水させる温水器に組み込まれるモジュール方式集合弁に限定されない。すなわち、本発明にかかるモジュール方式集合弁は、例えば床パネルから流れてきた熱媒体を温めて床パネルに戻す床暖房装置など、流入された流体を暖めた後に流出させる任意の装置に組み込むことができる。この場合において、モジュール方式集合弁は、例えば熱媒体油および空気を含む任意の流体を流出入させるものとすることができる。
【符号の説明】
【００７８】
１０    モジュール方式集合弁
１０Ａ  温度センサー
１０Ｂ  コンピュータ（開度制御装置）
１０Ｃ  出力信号
１０Ｄ  制御信号
１１    第１の部屋
１１Ａ  第１の流入口
１１Ｂ  第１の流出口
１１Ｃ  内壁面
１１Ｄ  バッフル
１２    第２の部屋
１２Ａ  第２の流入口
１２Ｂ  第２の流出口
１３    第３の部屋
１３Ａ  第３の流入口
１３Ｂ  第３の流出口
１４    第１の混合弁
１４Ａ  弁孔
１４Ｂ  弁体
１４Ｃ  送りねじ機構
１４Ｄ  弁棒
１５    第２の混合弁
１５Ａ  弁孔
１５Ｂ  弁体
１５Ｃ  送りねじ機構
１５Ｄ  弁棒
２０    モジュール方式集合弁
２０Ａ  温度センサー
２０Ｂ  コンピュータ（開度制御装置）
２０Ｃ  出力信号
２０Ｄ  制御信号
２１    第１の部屋
２１Ａ  第１の流入口
２１Ｂ  第１の流出口
２１Ｃ  内壁面
２１Ｄ  バッフル
２２    第２の部屋
２２Ａ  第２の流入口
２２Ｂ  第２の流出口
２３    第３の部屋
２３Ａ  第３の流入口
２３Ｂ  第３の流出口
２４    第１の混合弁
２４Ａ  弁孔
２４Ｂ  弁体
２４Ｃ  送りねじ機構
２４Ｄ  弁棒
２５    第２の混合弁
２５Ａ  弁孔
２５Ｂ  弁体
２５Ｃ  送りねじ機構
２５Ｄ  弁棒
２５Ｅ  スリーブ
２５Ｆ  ノッチ
２５Ｇ  バッフル
２５Ｈ  片勾配部
９０    温水器
９０Ａ  タンク
９０Ｂ  ボイラー
９０Ｃ  配設スペース
９１    給水管
９１Ａ  給水（低温流体）
９１Ｂ  水源
９２    送り出し管
９２Ａ  開閉弁
９２Ｂ  水
９３    送り込み管
９３Ａ  開閉弁
９３Ｂ  温水（中温流体）
９４    吐水管
９４Ａ  蛇口
９４Ｂ  水
９５    熱水管
９５Ａ  熱水（高温流体）
９６    水供給管
９６Ａ  水
９７    ヒートポンプ式加熱装置（温水熱源機）
９７Ａ  水供給管
９７Ｂ  温水管
９８    使用者
９８Ａ  設定情報
【図１】
0006498434.tif 000002
【図２】
0006498434.tif 000003
【図３】
0006498434.tif 000004
【図４】
0006498434.tif 000005
【図５】
0006498434.tif 000006
【図６】
0006498434.tif 000007
【図７】
0006498434.tif 000008
【図８】
0006498434.tif 000009
【図９】
0006498434.tif 000010
【図１０】
0006498434.tif 000011
【図１１】
0006498434.tif 000012
【図１２】
0006498434.tif 000013
【図１３】
0006498434.tif 000014
【図１４】
0006498434.tif 000015
【図１５】
0006498434.tif 000016
【図１６】
0006498434.tif 000017
【図１７】
0006498434.tif 000018
【図１８】
0006498434.tif 000019